(57)【要約】【課題】隣室からトイレ室の便器の底部を観察できると共に、観察者の視線と、患者の視線が合う事を避けることができるトイレ室を提供する。【解決手段】本発明の観察窓を有するトイレ室は、トイレ室１内に設けられた便器５と、前記トイレ室１の壁３に貫通して設けられる観察窓部５とよりなり、該観察窓部５は、前記壁３の背面板に形成した外側開口部５ａと、前記壁３の前面板に形成した内側開口部５ｂと、前記外側開口部５ａと前記内側開口部５ｂとを連通する通路部５ｃとよりなり、前記外側開口部５ａと前記内側開口部５ｂとは、該外側開口部５ａから前記内側開口部５ｂを通じて前記トイレ室１内を観察した時に、前記便器６の底部６ｃを観察できるように形成されることを特徴とする。【選択図】図１
2016221101.tif 000002
【特許請求の範囲】
【請求項１】
トイレ室内に設けられた便器と、前記トイレ室の壁に貫通して設けられる観察窓部とよりなり、
該観察窓部は、前記壁の背面板に形成した外側開口部と、前記壁の前面板に形成した内側開口部と、前記外側開口部と前記内側開口部とを連通する通路部とよりなり、
前記外側開口部と前記内側開口部とは、該外側開口部から前記内側開口部を通じて前記トイレ室内を観察した時に、前記便器の底部を観察できるように形成されることを特徴とする観察窓を有するトイレ室。
【請求項２】
前記外側開口部と前記内側開口部とは、該外側開口部から前記内側開口部を通過するあらゆる視線が、床面上の所望の場所の所望の高さの場所よりも下になるように形成されることを特徴とする請求項１記載の観察窓を有するトイレ室。
【請求項３】
トイレ室内に設けられた便器と、前記トイレ室の壁に貫通して設けられる観察窓部とよりなり、
該観察窓部は、前記壁の背面板に形成した外側開口部と、前記壁の前面板に形成した内側開口部と、前記外側開口部と前記内側開口部とを連通する通路部とよりなり、
前記外側開口部の上端と前記内側開口部の下端とは、それぞれ、該外側開口部の上端又はそれよりも下の部分と、前記内側開口部の下端又はそれよりも上の部分とを結ぶ仮想線の延長線が、前記便器の底部を通過するように形成されると共に、
前記外側開口部の下端と前記内側開口部の上端とは、それぞれ、前記外側開口部の下端と前記内側開口部の上端とを結ぶ仮想線の延長線が、前記所望の場所よりも低い場所を通過するように形成されることを特徴とする観察窓を有するトイレ室。
【請求項４】
前記外側開口部は、前記内側開口部に対して所望の高さ上方に設けられ、前記通路部が、前記外側開口部から前記内側開口部に向かって斜め下の方向に傾斜していることを特徴とする請求項１乃至３のいずれか１に記載の観察窓を有するトイレ室。
【請求項５】
前記内側開口部が、所望の高さの場所よりも下に設けられていることを特徴とする請求項１乃至４のいずれか１に記載の観察窓を有するトイレ室。
【請求項６】
前記便器は洋式便器であり、該便器の前後方向の中心部分に、底部が形成されていることを特徴とする請求項１乃至５のいずれか１に記載の観察窓を有するトイレ室。
【請求項７】
前記観察窓部は、壁に埋め込まれる、手洗い装置が設けられたケース内に設けられることを特徴とする請求項１乃至６のいずれか１に記載の観察窓を有するトイレ室。
【発明の詳細な説明】
【技術分野】
【０００１】
本発明は、精神科病院、刑務所又は警察の留置場等に設けられる、隣室又は通路からトイレ室内の便器内を観察できる観察窓を有するトイレ室に関する。
【背景技術】
【０００２】
従来、精神科病院、刑務所又は警察の留置場等において、安全性の高い手洗い装置を壁に埋め込んだトイレ室がある。
【０００３】
かかる手洗い装置ａは、例えば、図６に示すように、例えば、ステンレス製の平箱状のケースｂと、該ケースｂの前面板ｂ１に開口した箇所の内側に設けた、ステンレス製の手洗い器ｃ及びトイレットペーパーホルダー部ｄと、該ケースｂ内に設けられた、水道源から便器や前記手洗い器ｃへ接続する配管や、フラッシュバルブや電磁バルブや電動バルブ等のバルブなどの配管設備部ｅとからなる。
【０００４】
そして、該手洗い装置ａは、該ケースｂの厚みを、埋め込まれるトイレ室の壁の厚さと略同じにし、該ケースｂの前面板ｂ１と前記トイレの内壁とが同じ面になるように、前記トイレ壁面内に設置すると共に、前記手洗い器ｃやトイレットペーパーホルダー部ｄの開口部の縁部に丸味を設けられている。
【０００５】
このように前記手洗い装置ａが形成されることより、該手洗い装置ａには、水道管や排水管などの前記トイレ壁から突出する部分がなく、かつ、開口部には丸味が設けられているので、安全性が高く、破壊防止となっている。
【０００６】
また、前記手洗い装置ａは、手洗い器ｃと、該手洗い器ｃと便器に連なる主管路や補助管路などの配管設備部ｅをコンパクトに平箱状のケースｂ内に収めてユニット化されていると共に、前記ケースｂの厚みをトイレ室の壁の厚みと略同じとし、前記トイレ室の外壁からケース内を点検できるようにしたことにより、前記手洗い装置のトイレの壁への設置作業と修理などの管理が容易になる。
【０００７】
このような手洗い装置としては、例えば、特許文献１がある。
【先行技術文献】
【特許文献】
【０００８】
【特許文献１】特開２００２−３４８０６号公報
【発明の概要】
【発明が解決しようとする課題】
【０００９】
前記従来の精神科病院等の保護室や隔離室等のトイレ室においては、患者等の排便の観察が必要になる。即ち、例えば、統合失調症治療のための抗精神科病薬の一部が便秘を誘発し、腸閉塞（イレウス）発症の原因となることがあるため、日常の患者等の排便の有無及び排便を観察・記録は重要になる。また、排便は患者等の健康状態のバロメーターとなるため観察が必要である（バイタルチェック）。
【００１０】
そして、かかる排泄の有無や排便の観察については、患者等から申告されることが困難なケースが多いので、看護師等が、排便の観察が必要とされるが、看護師等が保護室（隔離室）に入室して確認する必要があり、この際、看護師等の身体の危険が伴う場合がある。また、入室する際も充分に気をつけ、退出する際も一緒に出ないように気を使う必要がある。そのため看護師等は複数での作業となりマンパワー的な負担がかかってしまう。
【００１１】
そこで、本発明は、前記トイレ室において、トイレ室外の隣室又は通路から、トイレ室内に設けられた洋式又は和式の便器内の排泄物の有無や、排泄物の確認などが容易にわかるようにすると共に、看護師等の観察者が、患者等と目を合わすことなく確認が出来るため、患者等側は排泄行為を見られることによる心の負担を軽減させ、プライバシーと尊厳を守ることができ、同時に看護師等のストレスを軽減できる観察窓を有するトイレ室を提供することを目的とする。
【課題を解決するための手段】
【００１２】
前記の目的を達成すべく、本発明の観察窓を有するトイレ室は、トイレ室内に設けられた便器と、前記トイレ室の壁に貫通して設けられる観察窓部とよりなり、該観察窓部は、前記壁の背面板に形成した外側開口部と、前記壁の前面板に形成した内側開口部と、前記外側開口部と前記内側開口部とを連通する通路部とよりなり、前記外側開口部と前記内側開口部とは、該外側開口部から前記内側開口部を通じて前記トイレ室内を観察した時に、前記便器の底部を観察できるように形成されることを特徴とする。
【００１３】
また、前記外側開口部と前記内側開口部とは、該外側開口部から前記内側開口部を通過するあらゆる視線が、床面上の所望の場所の所望の高さの場所よりも下になるように形成されることを特徴とする。
【００１４】
また、本発明の観察窓を有するトイレ室は、トイレ室内に設けられた便器と、前記トイレ室の壁に貫通して設けられる観察窓部とよりなり、該観察窓部は、前記壁の背面板に形成した外側開口部と、前記壁の前面板に形成した内側開口部と、前記外側開口部と前記内側開口部とを連通する通路部とよりなり、前記外側開口部の上端と前記内側開口部の下端とは、それぞれ、該外側開口部の上端又はそれよりも下の部分と、前記内側開口部の下端又はそれよりも上の部分とを結ぶ仮想線の延長線が、前記便器の底部を通過するように形成されると共に、前記外側開口部の下端と前記内側開口部の上端とは、それぞれ、前記外側開口部の下端と前記内側開口部の上端とを結ぶ仮想線の延長線が、前記所望の場所よりも低い場所を通過するように形成されることを特徴とする。
【００１５】
また、前記外側開口部は、前記内側開口部に対して所望の高さ上方に設けられ、前記通路部が、前記外側開口部から前記内側開口部に向かって斜め下の方向に傾斜していることを特徴とする。
【００１６】
また、前記内側開口部が、所望の高さの場所よりも下に設けられていることを特徴とする。
【００１７】
また、前記便器は洋式便器であり、該便器の前後方向の中心部分に、底部が形成されていることを特徴とする。
【００１８】
また、前記観察窓部は、壁に埋め込まれる、手洗い装置が設けられたケース内に設けられていることを特徴とする。
【発明の効果】
【００１９】
本発明によれば、隣室又は通路などのトイレ室外からトイレ室内の便器の底部を観察できると共に、看護師等の観察者の視線と、患者等の視線が合う事を避けることができるようになる。
【図面の簡単な説明】
【００２０】
【図１】本発明の観察窓を有するトイレ室の説明用縦断側面図である。
【図２】本発明の観察窓を有するトイレ室の説明用縦断側面図である。
【図３】本発明の観察窓を有する他の例のトイレ室の説明用縦断側面図である。
【図４】本発明の観察窓を有するトイレ室に用いられる一般的な便器の平面図である。
【図５】本発明の観察窓を有するトイレ室に用いられる本発明の便器の平面図である。
【図６】従来の手洗い装置の斜視図である。
【発明を実施するための形態】
【００２１】
本発明を実施するための形態の実施例を以下に示す。
【実施例１】
【００２２】
本発明の実施例１を図１及び図２により説明する。
【００２３】
１は、例えば、精神科病院、刑務所又は警察の留置場等の隔離された場所の保護室や隔離室などのトイレ室、２は、前記トイレ室１の壁３を隔てた通路又は部屋（隣室）、４は、該壁３を貫通して埋め込まれた、例えば、ステンレス製の平箱状のケース、５は、該ケース４に設けられた、前記壁３を隔てた通路又は部屋２側から前記トイレ室１内を観察できる観察窓部、６は、前記トイレ室１内の床１ａに設けられ、前記壁３から所望の距離離間して設けられた、例えばステンレス製の洋式便器を示す。
【００２４】
なお、前記壁３と前記洋式便器６との所望の距離は、便器利用者が、前記壁３に設けられたトイレットペーパー（図示せず）に手が届く範囲の距離である。また、前記便器６は、例えば、前記便器６の前後方向（患者等が便器に座った時の前後方向）が、壁に沿うように設けられる。即ち、前記便器６は、患者等が座った時に、壁は、該患者の左右側に位置するようになる。
【００２５】
また、前記ケース４は、該ケース４の厚みを前記壁３の厚みと略同じとし、前記壁３を貫通して設けられた貫通穴３ａに挿入され、該ケース４の前面板４ａは、前記壁３の内壁３ｂと同じ面となるように形成されると共に、該ケース４の背面板４ｂは、前記壁３を隔てた通路や部屋２の壁面２ａと略同じ面になるように形成されている。
【００２６】
また、前記観察窓部５は、前記ケース４の背面板４ｂに形成した外側開口部５ａと、前記ケース４の前面板４ａに形成した内側開口部５ｂと、前記外側開口部５ａと前記内側開口部５ｂとを連通する通路部５ｃと、前記内側開口部５に設けた、透明の強化ガラスよりなる窓部７とよりなる。
【００２７】
なお、前記通路５ｃは、例えば、筒状に形成された仕切のある通路の他に、何ら仕切のない、前記外側開口部５ｂと前記内側開口部５ｂを連通する仮想状の通路も含むものである。
【００２８】
なお、前記窓７は、前記ケース４の前面板４ａと同じ面になるように形成されている。
【００２９】
また、前記外側開口部５ａには、観察時以外は、トイレ室１内を観察できないように、不透明な開閉扉（図示せず）を設けても良い。
【００３０】
また、前記観察窓部５は、前記外側開口部５ａから前記内側開口部５ｂを通じて前記トイレ室１内を観察した時に、該観察時の視線が、前記便器６の便座部６ａや周壁部６ｂなどの、便器６の底部６ｃ以外の部分の便器本体部分８に遮られること無く、前記便器６の底部６ｃに到達できると共に、前記トイレ室１内の所望の場所の上方部を観察できないように、前記観察窓部５の前記外側開口部５ａと前記内側開口部５ｂとが所望の形状及び位置に形成される。
【００３１】
即ち、まず、トイレ室１外からの前記観察窓部５を通じた観察時の斜め下を向く視線が、前記便器６の便器本体部分８に遮られること無く、前記便器６の底部６ｃを観察できるようにするために、図１に示すように、前記外側開口部５ａと前記内側開口部５ｂとの形状及び取付位置を、少なくとも、前記便器６の便器本体部分８に遮られること無く、前記便器６の底部６ｃを観察できる視線Ｌが、前記外側開口部５ａ及び内側開口部５ｂ内を通過できるように形成する。
【００３２】
他の言葉で言い換えれば、前記外側開口部５ａと前記内側開口部５ｂとの形状及び取付位置を、前記外側開口部５ａから前記内側開口部５ｂを通過する斜め下を向く視線Ｌのうち少なくとも一部が、前記前記便器６の便器本体部分８に遮られること無く、前記便器６の底部６ｃを観察できるように形成され、具体的には、例えば、前記外側開口部５ａの上端と前記内側開口部５ｂの下端とは、それぞれ、該外側開口部５ａの上端（又はそれよりも下の部分）と前記内側開口部５ｂの下端（又はそれよりも上の部分）とを結ぶ仮想線の延長線が、前記便器６の便器本体部分８を通過することなく、前記便器６の底部６ｃを通過するように形成される
【００３３】
次に、トイレ室１外からの前記観察窓部５を通じた観察時の視線が、前記トイレ室１の所望の上方部を観察できないようにするために、図２に示すように、前記外側開口部５ａから前記内側開口部５ｂを通過するあらゆる視線Ｍが、例えば、床１ａ上の所望の場所（例えば、便器６が設置された場所）の所望の高さの場所Ｓ（例えば、便器に座った患者の目より下の高さの場所）よりも下を通過するように、前記外側開口部５ａと前記内側開口部５ｂとの形状及び位置に形成され、具体的には、例えば、前記外側開口部５ａの下端と前記内側開口部５ｂの上端とは、それぞれ、記外側開口部５ａの下端と前記内側開口部５ｂの上端とを結ぶ仮想線の延長線が、前記場所Ｓよりも低い場所を通るように形成される。
【００３４】
なお、前記外側開口部５ａを、例えば、所望の高さの場所Ｓ（例えば、便器に座った患者の目より下の高さの場所）よりも下に設けるようにしてもよい。
【００３５】
また、前記外側開口部５ａ、前記内側開口部５ｂの形状は、例えば、円形状、楕円状、又は矩形状である。
【００３６】
なお、より具体的には、図１に示すように、前記外側開口部５ａと前記内側開口部５ｂの形状及び大きさを略同じとし、前記外側開口部５ａを前記内側開口部５ｂよりも上方に設け、前記通路部５ｃを、前記外側開口部５ａから前記内側開口部５ｂに向かって斜め下方向に傾斜するように設けるのが好ましいが、前記外側開口部５ａと前記内側開口部５ｂとの位置関係は、少なくとも、前記内側開口部５ｂの下端に対して、前記外側開口部５ａの上端が上方に位置すればよい。なお、前記内側開口部５ｂの上端に対して、前記外側開口部５ａの下端が上方に位置するようにしてもよい。
【００３７】
なお、図３及び図４に示すように、トイレ室１の天井部９が低い場合や、トイレ室１に設置された洋式便器１０が、平面視において楕円形状であり、底部１０ａが前記便器１０において後方部（患者が座った時の後側）に設けられた一般の便器である場合、該底部１０ａが、前記便器１０の便座１１の開口部１１ａの基部部分１１ｂに位置するため、該開口部１１ａの基部部分１１ｂの左右方向の間隙長さＡが狭いため、前記便器１０の底部１０ａを観察するための視線Ｎ１が鉛直方向に対して、鋭角状になる。
【００３８】
そのため、あまりに鋭角状になると、該視線Ｎ１が通過することができる外側開口部５ａを前記壁３に形成できず、また、仮に、壁３に観察窓部５を形成しても、前記外側開口部５ａから内側開口部５ｂを通じた視線Ｎ２が、前記洋式便器１０の便座１１や周壁部などの、前記底部１０ｃを除いた部分の便器本体部分１０ｂにより遮られて、便器１０の底部１０ａを観察できない場合がある。
【００３９】
そこで、本発明においては、図１及び図５に示すように、洋式便器６の底部６ｃを、該洋式便器６の前後方向において、前記洋式便器６の周壁部６ｂの内側内周面の中心位置部分に設けた洋式便器を用いるようにする。
【００４０】
なお、前記洋式便器６は、例えば、周壁部６ｂの内側内周面１２が円錐形状に形成されると共に、該内側内周面の上端形状が円形に形成され、その中心下部に底部６ｃが形成されている。また、前記周壁部６ｂの上端に、外径形状が円形状の便座部６ａが設けられている。
【００４１】
なお、一般に便座の開口部は、座りやすくするために、楕円状又は卵型状に形成され、前後方向において中心部分が、おおよそ左右方向における最大開口部となる。従って、本願発明においては、前記洋式便器６の底部６ｃが、前記周壁部６ｂの前後方向において中心位置部分に設けられているので、かかる場所の左右方向の間隙長さＢが、前記洋式便器６の便座６ａの開口部６ｄの中で一番左右方向の間隙広さが広い位置となり、前記便器６の底部６ｃを観察するための視線を、鉛直方向に対して、傾斜を緩やかにすることができ、従って、トイレ室１の天井９が低いような場合であっても、前記観察窓部５を壁に形成できるようになる。
【００４２】
なお、前記便器６の底部６ｃの位置を、便座６ａの開口部において、左右方向の間隙長さが一番広くなる場所に設けるようにしてもよい。
【００４３】
本発明のトイレ室の使用方法及び効果について説明する。
【００４４】
トイレ室１内の所望の場所に、便器６を設けると共に、該便器６の底部６ｃが観察できる観察窓部５を有するケース４を、壁３内の貫通穴３ａに嵌め込む。
【００４５】
なお、トイレ室の形状によっては、一般の便器１１の底部１１ａを観察できる観察窓部５を壁に形成できない場合には、便器６の前後方向の中心位置（または、便座の開口部において、左右方向の間隙が一番広くなる場所）に底部６ｃが形成された便器６を設置するようにする。
【００４６】
そして、トイレ室１内を観察する場合には、前記外側開口部５ａから、前記内側開口部５ｂを介してトイレ室１内を観察すれば、トイレ室１の壁３を隔てた通路又は部屋２から、便器６内の底部６ｃを観察でき、該底部６に貯まった排泄物の有無や、洗浄の有無を知ることができるようになる。
【００４７】
なお、前記通路又は部屋２側から、前記トイレ室１室内の前記便器６の洗浄装置を操作できるスイッチや、患者等が前記便器６の洗浄が操作できないようなスイッチ、その他各種スイッチ、計器などを前記部屋２側の壁面２ａに設けるようにしてもよい。
【００４８】
また、前記観察窓部５は、前記外側開口部５ａが前記内側開口部５ｂよりも上方の位置に設けられ、前記通路部５ｃが傾斜して形成されているので、所望の場所の所望の高さ以上を観察することができないので、看護師などの観察者と患者等の視線と合わせることはない。
【００４９】
なお、前記観察窓部５は、壁３に埋め込んだケース４に設けた例を示したが、ケース４を用いずに、直接、該観察窓部５を壁２に貫通して設けるようにしてもよい。
【００５０】
また、前記ケース４を、従来の手洗い装置ａのケースｂとし、該ケースｂ内の手洗い器ｃやトイレットペーパーホルダーｄや配管設備部ｅなどの配置を工夫して、前記観察窓部５を設けるようにしてもよい。
【産業上の利用可能性】
【００５１】
本発明の観察窓を有するトイレ室は、精神科病院、刑務所又は警察の留置場等のトイレに利用される。
【符号の説明】
【００５２】
１      トイレ室
１ａ    床
２      部屋
２ａ    壁面
３      壁
３ａ    貫通穴
３ｂ    内壁
４      ケース
４ａ    前面板
４ｂ    背面板
５      観察窓部
５ａ    外側開口部
５ｂ    内側開口部
５ｃ    通路部
６      洋式便器
６ａ    便座部
６ｂ    周壁部
６ｃ    底部
６ｄ    開口部
７      窓部
８      便器本体部分
９      天井部
１０    便器
１０ａ  底部
１０ｂ  便器本体部分
１１    便座
１１ａ  開口部
１１ｂ  基部部分
１２    内側内周面
【図１】
2016221101.tif 000003
【図２】
2016221101.tif 000004
【図３】
2016221101.tif 000005
【図４】
2016221101.tif 000006
【図５】
2016221101.tif 000007
【図６】
2016221101.tif 000008